Podtech/llm-jp-corpus-v4-ja_patent huggingface dataset:
(57)【要約】      （修正有）【課題】デスクワークにおける疲労度を軽減できるデスクを提供する。【解決手段】デスクの天板の形状を扇形、円形、多角形等として、中央部に椅子が入る広さの切り込みを入れることにより、作業者の両側に位置する天板を肘受けとして機能させることにより、疲労度のすくない「健康デスク」となる。【選択図】図２
2009125560.tif 000002
【特許請求の範囲】
【請求項１】
一般的なデスクを始め、半月、扇型。円型、五角、六角、八角型等のデスクの中央に腰掛けが入るほどの広さの切り込みを入れ、デスクの脚の張り支えに足の裏を書く凹凸のギザギザを施したデスクと椅子。
【発明の詳細な説明】
【技術の分野】
【０００１】２１世紀型のデスクと、２０世紀型のデスク、すなわち、現在のデスクとは、座り心地と読み書き等に疲労度が随分と違う、それほど２１世紀型のデスクは、構造は極めて簡単であるが、その効果は大である。デスクの脚の張り支えに足の裏を書く凹凸のギザギザを施されている。
【背景技術】
【０００２】わが国のデスクは、１８世紀の後期までは、ほとんどが座って使うデスクであったが、開国と西洋文化の導入の一つとして入って来たのが、現在のデスクと椅子である。昔型の日本のデスクは足腰に悪影響を及ぼしていたが、現在のデスクと椅子の普及で、足腰の方は大部解消されているが、読み書きを始めとする様々な会合や飲食の際等に良くない点が発見された。この良くない点を補うために発明されたのが、この２１世紀型のデスクである。
【発明の開示】
【発明が解決しようとする課題】
【０００３】本発明は、現在のデスクの中央に空所を設け、腰掛けてすっぽりと、その空所に入ることで、両ヒジがデスクの上面に置くことができて、読み書きを始め、様々な会合や飲食等に、従来にない気楽さと疲労度がほとんど感じられないほど楽である。
【課題を解決するための手段】
【０００４】本発明のデスクは、前述の通り、現在のデスクの中央に、人体が腰掛けて、すっぽりと入るスペースを切り込むだけであるから、既存のデスクも極めて簡単に改造できるし、新しく作るのも、ただ切り込むだけの構造のデスクで、体調に良好な結果をもたらすものであるから、この手段を採用する事は、国民の健康維持に貢献する事にもなる。
【発明の効果】
【０００５】本発明は、従来、全く考えられた事がないタイプのデスクである。現在のデスクで読み書きをする際は、腹部をデスクの端すれすれ近くまで寄せて両ヒジを曲げ、デスクの前面上に置き、首、腰を曲げて、いわゆる前かがみの姿勢で読み書きするのが一般的である。従って、自然に目、首、腰に悪影響を及ぼしている。本発明には上記のような悪影響はほとんど無い。なぜか、と言うと、本発明のデスクでの読み書きをする際は、デスクの中央に、人体が座った椅子が、図１、図２、図３、図４の（２）のように切り込まれた空所へ入り込んで行うので椅子にしっかりと腰を付けたまま両ヒジはデスクの前面上に置くのではなく、両側に置いての読み書きだからである。デスクを前に腰掛けての読み書きだからである。デスクを前に腰掛けての読み書きで最も重要なのは「ヒジの位置」である。その点、本発明のデスク上での「ヒジの位置」は極めて理想的であり、従って長時間の読み書きを始め、様々な会合、飲食等の際に人体に及ぼす良い効果は大である。又、各デスクの脚の張りには凹凸のギザギザ、図１、図２の如く入っているから足裏をかくこともできる。
【発明の実施するための最良の形態】
【０００６】前述している通り、現在のデスクで読み書きをする際には、腹部をデスクの端に近づけて、両ヒジを曲げ、台の前部の上に置き、首を前に曲げ、腰部も椅子の腰当てから離れて、前かがみの姿勢となっている。この姿勢を解消するために発明されたのが、デスクの中央に図１、図２、図３、図４の（２）の如く空所を設ける事が最良の形態である。なぜならば、重ねて書く事になるが、読み書きで最も重要な体勢は、「ヒジの位置」である。従って、本発明の如く構造が最良の形態である。
【実施例】
【０００７】例えば、デスクの台の広さが、長さ１メートル、幅７０センチ、高さ７０センチのデスクの切り込みの広さは、中央に長さ３５センチ、奥行き４０センチ、図１、図２、の（２）の如くこの広さは、腰掛けに座って、すっぽりと中央に座ってヒジは両側に置いての読み書きの姿勢なので、極めて楽で、左右１８０度回転が可能で、従って長時間の読み書きを始め、様々な会合、飲食等にも楽しく、疲労度が少ないなどの良い点を備えたデスクである。図３、図４の如く半月型、円型のデスクの場合、ヒジを置くスペースの広さは極めて大事で、一人分として幅１５センチから２０センチは必要である。狭いと隣の人のヒジとぶつかり合うので、読み書きに支障を来たすし、飲食等の際にも良くない。その点を十分に考慮して製作する事が大切である。
【産業上の利用可能性】
【０００８】本発明のデスクは極めて簡単な構造のデスクだが、現在全く使用されていないが、一度製作発売されると、これは、小中、高校、大学は勿論の事、一般社会での会議用、公的、私的を問わず、飲食用に至るまで使用されるであろう、何故ならば、基本的に両ヒジが、台の両側に置いているので、長時間の読み書きに適しており、楽で左右１８０度に体を自由自在に動かして読み書きが可能だからである。前述している通り両ヒジが台の上に置いての読み書きが現在のデスクと大きな違いであり、使ってみて本当の良さが分かると、すべてのデスクが２１世紀型のデスクに変わる可能性がある故に、一大産業となる事は大である。１８世紀の後期、現在のデスクが文明の一つとして入って来たが、今度は２１世紀型のデスクとして日本から世界へ発信したいものである。
【図面の簡単な説明】
【０００９】
【図１】は、極めて一般的な梯子型のデスク前面図で、１は本体の台、２は切り込んだ空間で、腰掛けに座るスペース、３は引き出し。４はギザギザ入りの足受け。
【図２】は、扇型、半月型の前面図で、１は本体の台、２は切り込んだ空間で、腰掛けに座るスペース、３は引き出し、４はギザギザ入りの足受け。
【図３】は、扇型、半月型の上面図で、１は本体の台、２は切り込んだ空間で、腰掛けに座るスペース、３はヒジ受け、５は椅子置きスペース、６はペン類を始め、小物置き場。
【図４】は、円型デスクの上面図で、１は本体の台、２は切り込んだ空間、３はヒジ受け、４は出入口、５は椅子置き場、６はペンを始め、小物置き場。
【図５】は、折りたたむ本受け、１は折りたたみ板、２は台、３は本受け。
【図６】は、ねかせ立て本受け、１はねかせ、立て板、２は台、３は本受け。
【図１】
2009125560.tif 000003
【図２】
2009125560.tif 000004
【図３】
2009125560.tif 000005
【図４】
2009125560.tif 000006
【図５】
2009125560.tif 000007
【図６】
2009125560.tif 000008
(57)【要約】【課題】  ゴルフはクラブを振り抜くことができる健康体が前提で、ゴルフコ−スを利用するには時間的、経済的余裕が必要等、何時でも何処でも誰でも楽しめるわけではない。しかしゴルフの持つ偶発性には捨て難い魅力がある。【解決手段】  多くの人が路上や空き地等で何時でも身近に本格ゴルフコ−スでプレ−するのと同じような感動が得られるように、それぞれの転がり方の違いを色やしるし、形状等で明確に識別できるゲ−ム用のゴルフボ−ルを使って、実際のゴルフコ−スで見られるような変化に富んだコ−スレイアウトを創出する。【特許請求の範囲】
【請求項１】
色やしるし、形状等でそれぞれの転がり方の違いが明確に識別できるゲ−ム用ゴルフボ−ル。
【発明の詳細な説明】
【技術分野】
【０００１】  この発明はゲ−ム用のゴルフボ−ルに関するものである。
【背景技術】
【０００２】  ゴルフは空き地等で真似事をしてみても、実際のコ−スで受けたような感動は得られない。たとえ河川敷コ−スでプレ−できたとしても、やはり本格コ−スの醍醐味には程遠い。起伏やハザ−ド、ラフやバンカ−が微妙に絡み合った偶発性に乏しいからである。しかし本格コ−スでプレ−するためには、クラブを振り切ることができる健康体であることが必須条件であり、時間的にも経済的にも余裕がなければ何時でも何処でも誰でも楽しめるわけではない。
【発明の開示】
【発明が解決しようとする課題】
【０００３】  本案は本格コ−スでプレ−したときのような感動を、何時でも何処でも誰でも簡単に味わうことができるゴルフゲ−ムを実現するものである。
【課題を解決するための手段】
【０００４】  実際のコ−スで見られるような偶発性を誘起させるために、まっすぐ転がりにくいボ−ルを使用し、各場面や状況に応じて転がり方の異なるボ−ルを使い分ける。
【発明の効果】
【０００５】  本格コ−スではフェアウェイ、ラフ、ハザ−ド、バンカ−、グリ−ン等が巧妙にレイアウトされており、それぞれのポイントで立ち位置やボ−ルの静止状態、ボ−ルを打ち出せる方向、ボ−ルの打ち出し角度等様々な制約があるが、逆にそれらの制約が絶妙な緊張感やスリルを生み出している。本案に従えば本格コ−スでプレ−するのと同様の緊張感やスリルを身近に味わうことが可能である。
【発明を実施するための最良の形態】
【０００６】  路上や空き地等でフェアウェイ、ラフ、ハザ−ド、バンカ−、グリ−ン、ＯＢラインをマ−キングする。
まっすぐに転がりにくいボ−ルとして、
［１］球、円錐、角錐、六面体（真四角）、十四面体その等の多面体、ひょうたん型、ダンベル型等のように外形そのものが異なるもの。
［２］球体もしくは多面体の全面に突起を配置し、それぞれの突起の形状や数を変えたもの。
［３］球体もしくは多面体あるいは突起付きの内部に重りを固定し、重量や位置を少しづつ変えたもの。この場合は重りが一番近い位置に印をつける。
［４］球体もしくは多面体あるいは突起付きの内部を空洞にして重りを入れ、重りの重量を少しづつ変えたもの。
等が考えられる。
実際のゴルフのように１メンバ−４人という規約にこだわる必要はなく何人でも参加できる。ショ−トコ−ス、ミドル、ロングを区別するためには必ずしも距離そのものを変更する必要はなく、転がりにくさの異なるボ−ルを使用することで、同じコ−スを使って設定変更することが可能である。ショ−トに比べ転がりにくいボ−ルを用いれば、必然的にパット数が増えミドルコ−スに変身する。更に転がりにくいボ−ルにすればロングコ−スになる。このように、限られたスペ−スで本格ゴルフと同じコ−ス設定ができることも大きな特徴である。
ゲ−ムの仕方を分かり易くするために、外形の異なるボ−ルを使用した場合について一例を述べる。
まず、コ−スをロングに設定する場合は初球に六面体（真四角）を、ミドルでは十四面体、ショ−トでは更なる多面体を用いる。ドッグレッグを想定する場合は角錐、ひょうたん型あるいはダンベル型等を使い分ける。
初球は平面をピンの方向に向けてセットすることができ、フェアウェイをキ−プする限り同じボ−ルでプレ−することができる。
ハザ−ドからの打ち直しには１点を加え、同じボ−ルを使用する場合はフラットな足場を、より転がりにくいボ−ル、例えば三角錐を使用すれば傾斜がきつく、四角錐ではなだらかな傾斜を想定することができる。
ボ−ルを取り替える場合は適当な高さから落下させ、静止したそのままの状態で打つ。平面の向いている方角は様々で、ピンの方向にまっすぐ打ち出せるとは限らない。また、ボ−ルのどの位置を打つのかも重要な判断となる。打ち方を間違えばボ−ルはあらぬ方向に飛び出し、ペナルティの重みを十分認識することになる。
ラフやバンカ−から打ち出す場合も、角錐、多面体、ひょうたん型やダンベル型等を使い分けることでショットの難易度に差がつき、深いラフと浅いラフ、あごの深いバンカ−と浅いバンカ−を区別することができる。
ボ−ルを取り替える時は適当な高さから落下させて使用することを原則とする。
グリ−ンに載ってからもボ−ルを使い分けることにすれば、比較的やさしいグリ−ン、傾斜のあるグリ−ン、二段グリ−ン等あたかも実際のコ−スでプレ−しているような気分を味わえることになる。
本案によりゴルフの経験のない人、老人や幼児、また車椅子生活者でも腕さえ動かすことができれば参加することができる。
わざわざゴルフコ−スに出かけなくても昼休み等少し時間に余裕があれば、本格ゴルフコ−スでプレ−するのと同じ感動を身近で共有することができる。
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
まっすぐ（直線的）に転がりにくいように意図的に考慮され、その転がる距離や曲がり方等の違いを色やしるしあるいは形状等で明確に識別できるようにしたゲ−ム用のゴルフボ−ル。
(57)【要約】      （修正有）【課題】割り箸とつまようじは別々に製造されているため、つまようじ入り割り箸を製造するのに手間がかかる。また、このため、消費者にとっても開封するときに危険である。【解決手段】割り箸１の上部の中心から外側に向かって切れ込みを斜めに入れることにより、必要に応じてその部分を切り離し、つまようじ２として使えるようにした。また、割り箸１に切れ込みを入れてあるだけなので開封時には危険はない。【選択図】図１
2009125568.tif 000002
【特許請求の範囲】
【請求項１】
割り箸（１）の上部の中心から外側に向かって切れ込みを斜めに入れることにより、必要に応じてその部分を切り離し、（２）のようにつまようじとして使えるようにしたもの。
【請求項２】
割り箸を削ることが出来る刃物等を用いて、割り箸の上部から先端に向かって斜めに少なくとも深さ０．５ｍｍ程度のＶ字型の溝を両面に削ったもの。
【請求項３】
割り箸からつまようじを出来やすくするために、Ｖ字型に削った溝の上部と先端側の両側から途中まで切れ込みを入れたもの。
【発明の詳細な説明】
【技術分野】
【０００１】  本発明は割り箸につまようじの役目をする部分を付与することで、利便性を向上させただけでなく、つまようじが不要になることから環境にやさしい技術である。
【背景技術】
【０００２】  従来、つまようじは割り箸とは別になっているか、あるいは割り箸を加工することで、つまようじをあらかじめ付したものがある（例えば特許文献１）。
【特許文献１】特開２０００−１９７５５４
【発明の開示】
【発明が解決しようとする課題】
【０００３】  特にコンビニ弁当などの持ち帰り用の弁当には、割り箸とは別につまようじを用意しなければならない。【０００４】  通常、つまようじは割り箸の袋と同じ袋に入っている。そのため、使用者は割り箸を袋から取り出すとき危険を伴う。【０００５】  割り箸につまようじを付けるような加工では加工が煩雑なうえ、製造時間とコストがかかり現実的でない。
【課題を解決するための手段】
【０００６】  割り箸の上部の中心から外側に向かって切れ込みを斜めに入れることにより、必要に応じてその部分を切り離し、つまようじとして使えるようにする。
【発明の効果】
【０００７】  これまで、割り箸とつまようじを別々に生産し、袋に詰めるときに一緒に用意しなければならなかったが、本発明はその手間を省くことができる。また、消費者が袋から出すときに伴う危険性も回避でき資源の無駄も減少させることができる。
【発明を実施するための最良の形態】
【０００８】  割り箸（１）を使用した後、割り箸の上部に入れてある切れ込みに従って割ることで、つまようじ（２）をつくることが出来る。これは、通常、割り箸と一体化しているため容易にはずれることはないが、切れ込みが入れてあるので一定方向に力を加えるとはずれる。また、割り箸と一体化しているため指をさすような怪我をすることがなく安全である。以上のような構造で割り箸からつまようじが出来るようにし、ゴミを減らし利便性と安全性を高めた。
【実施例】
【０００９】  割り箸を削ることが出来る刃物等を用いて、割り箸の上部から先端に向かって斜めに深さ０．５ｍｍ程度のＶ字型の溝を両面に削る。あるいは、割り箸の溝と同じような形の溝をつくることでつまようじを出来やすくする。【００１０】  このときさらにつまようじを出来やすくするために、Ｖ字型に削った溝のつまようじになる上部と先端側の両側から途中まで切れ込みを入れておく。
【産業上の利用可能性】
【００１１】  持ち帰り用お弁当等に付いてくる割り箸、および飲食店等で出される割り箸として利用できる。
【図面の簡単な説明】
【００１２】
【図１】割り箸からつまようじができる様子を示した全体図である。
【図２】割り箸の上部を示した図である。
【符号の説明】
【００１３】１割り箸。
２切り離されて、つまようじになる部分。
【図１】
2009125568.tif 000003
【図２】
2009125568.tif 000004
(57)【要約】【課題】ダイニングテーブルで学習・作業する際の不便を克服する。【解決手段】ダイニングテーブルの天板をひっくり返せるようにすることでワーキングテーブル（学習・作業用）と食事用の面を、裏表で使い分けられるようにする【選択図】図１
2009125562.tif 000002
【特許請求の範囲】
【請求項１】
テーブルの天板をひっくり返せるようにし、ワーキングテーブル（学習・作業用）と食事用の面を裏表で使い分けられるようにするダイニングテーブル。
【発明の詳細な説明】
【技術分野】
【０００１】本考案は、天板をひっくり返せるようにすることでワーキングテーブル（学習・作業用）と食事用の面を、裏表で使い分けられるようにするダイニングテーブルに関するものである。
【背景技術】
【０００２】従来の普通のダイニングテーブル。
【発明の開示】
【発明が解決しようとする課題】
【０００３】    家族のサポートが必要な中学受験などをする小学生の学習現場では、最近、家族とコミュニケーションのとれない個室の学習机での勉強よりも、精神面で支えあうことのできる家族との共有空間（リビング・ダイニングなど）での受験勉強を評価する傾向がみられる。しかし、家族の共有空間に学習机を持ってくることは空間的にも、見た目にも難しく、勉強机としては主にダイニングテーブルが使用されるケースが多い。
しかし、ダイニングテーブルを使用するにあたっては不便が多い。
食事後の学習では、濡れ台布巾で拭かなければならないが、湿り気が乾くまで時間がかかり、湿り気が残った状態ですぐに学習物を用意すると、紙が破れたり印刷のインクなどが剥がれてテーブルにくっついたりする。また学習中に印刷・鉛筆・サインペンなどが裏写りし、いつの間にか容易に消せない汚れがたまり、ダイニングで気持ちのよい食事がとれなくなる。
食事前の学習では、細かい消しゴムかすがふきとりにくく、衛生上にも問題がある。
そこで、以上のようにダイニングテーブルを学習机として兼用する際の不便を、学習時と食事時の切り替えを簡単に早く行えるダイニングテーブルによって、ダイニングで勉強したい人のために、解決しようとする。
【課題を解決するための手段】
【０００４】テーブルの天板をひっくり返せるようにし、ワーキングテーブル（学習・作業用）と食事用の面を、裏表で使い分けられるようにするダイニングテーブル。
【発明の効果】
【０００５】ダイニングテーブルで学習することにより、これまで消しゴムかすが食事時に残っていたりする不快さや、食事後すぐに最適な学習環境に変えられない不便を無くす。
【発明を実施するための最良の形態】
【０００６】以下、本発明の実施の形態について説明する
（イ）テーブル天板の両脇側面に、回転するための軸をつけ、テーブルサイドに固定する。
（ロ）回転をとめるよう、テーブルサイドから天板の側面まで伸びるアジャスターを、回転軸の両脇に取り付ける。
（ハ）アジャスターを引いて、天板を半回転させて使用し、留めて固定する。
「第１実施例」テーブルのサイドには、回転しない天板を一部分残し、台布巾やコーヒー、デザートなどを置いたままの状態で回転する。
「題２実施例」集会所などで使われる折りたたみ式簡易テーブルでは全面を回転させ、食事面にテーブルクロスの模様などを印刷するなどして、簡単に華やかなで清潔な雰囲気を作る。
「第３実施例」学習用の面に筆記用具を入れられるケースを、あらかじめ取り付ける。
【図面の簡単な説明】
【０００７】
【図１】本発明の斜視図
【符号の説明】
【０００８】１  テーブル天板
２  テーブルの脚
３  テーブルが回転するための軸
４  天板を固定・解放できるようにするアジャスター
【図１】
2009125562.tif 000003
(57)【要約】      （修正有）【課題】従来の囲碁では、囲碁盤の中央部分も外側の隅や辺の部分も、終局後の地の計算では全部、１目は１目で計算され囲碁盤の中央部分と外側の隅や辺の部分に不公平があった。またこのため囲碁の布石も序盤は隅や辺から着手され、終盤になると中央部で石と石との争いになり、ゲームの流れが単純になりやすかった。【解決手段】囲碁盤の中央部分と外側の隅や辺の部分の不公平を是正するため、囲碁盤の中心点（天元）より四方の隅の黒点（星）との間に赤色の点が４か所ある。その４か所の赤色の点の内側の部分は、通常の囲碁ゲームでは１目は１目で計算されるが、このゲームでは１目は倍の２目で計算される。碁石は囲碁盤の４か所の赤色の点の内側で使う石は、黒色がかかった赤色の石（黒番）とピンク色の石（白番）を使用する。囲碁盤の４か所の赤色の点の外側で使う石は、通常の囲碁ゲームでつかう黒石（黒番）と白石（白番）の計４種類の碁石を使用する。【選択図】図２
2009125566.tif 000002
【特許請求の範囲】
【請求項１】
囲碁ゲームでつかう囲碁盤で、盤の中心点（天元）より四方の隅の黒点（星）との間に赤色の点が４か所ある囲碁盤。通常の囲碁ゲームでつかう１９路盤にくわえて、９路盤、１１路盤、１３路盤、１５路盤、１７路盤、２１路盤、２３路盤がある。通常の囲碁ゲームでつかう黒石と白石にくわえて、黒色がかかった赤色の石とピンクの石の計４種類の碁石を使用する。
【発明の詳細な説明】
【技術分野】
【産業上の利用分野】
【０００１】この発明は、通常の囲碁ゲームでつかう黒石と白石に加えて、黒色がかかった赤色の石とピンク色の石をつかい、囲碁盤には目印となる赤色の点が４か所あり、終局後の地の計算が、４か所の赤色の点で囲まれたところは、従来の囲碁ゲームでは１目は１目の計算のところが、１目は倍の２目の計算とする。
【背景技術】
【０００２】通常、おこなわれている囲碁ゲームでは終了後にお互いの占領された地の計算をするが、囲碁盤のどの地点も１目は１目として計算されている。しかし囲碁盤の中心部は１個の石を囲うのに４個の石で囲わなければならず、囲碁盤の隅や辺では、１個の石を囲うのに２個ないし３個の石で囲えばよく、地の計算で非常に不公平があった。またこの不公平により、囲碁ゲームの布石も序盤は隅や辺から始まって終盤に囲碁盤の中央部へむかうなどの単調なゲームの流れにならざるをえなかった。
【発明が解決しようとする課題】
【０００３】この発明は、上記した通常の囲碁ゲームのルールの問題点を解決し、まったく新しく、画期的な囲碁ゲームを目的とする。
【課題を解決するための手段】
【０００４】この発明は、上記目的を解決するため、黒色がかかった赤色の石とピンク色の石を、通常の囲碁ゲームで使う黒石と白石にくわえて使う。
また囲碁盤の中心点（天元）より、黒色でしるされている４か所の点（星）との間に目印となる赤色の点が４か所ある。黒色がかかった赤色の石とピンク色の石は、囲碁盤にしるされた４か所の赤色の点に囲まれた中でのみ使用する。黒色がかかった赤色の石は黒番（黒石を使う方）が使用する。
ピンク色の石は白番（白石を使う方）が使用する。黒色がかかった赤色の石と、通常の囲碁ゲームでつかわれる黒石は、ゲーム内での石の機能、性質は色が違うだけでまったく同じである。ピンク色の石と、通常の囲碁ゲームでつかわれる白石は、ゲーム内での石の機能、性質は色が違うだけでまったく同じである。その４か所の赤色の点で囲われた地は終局後の地の計算では、通常の囲碁ゲームでは１目は１目で計算されるが、このゲームでは１目は２目で計算される。またその４か所の赤色の点より外の隅や辺で囲まれた地は従来の囲碁ゲームどおり、黒番は黒石を使用し、白番は白石を使用し、１目は１目で計算される。
【作用】
【０００５】黒石がかかった赤色の石とピンク色の石を、通常の囲碁ゲームで使う黒石と赤石にくわえて使い、また囲碁盤は中心点（天元）より、黒色でしるされている点（星）との間に目印となる赤色の点が４が所ある。
その４か所の赤色の点の内の部分で囲われた地は、通常の囲碁ゲームでは１目は１目で計算されるが、このゲームでは１目は２目で計算される。またその４か所の赤色の点より外の部分の隅や辺で囲われた地は従来どおり１目は１目で計算される。これによってゲームは従来の囲碁ゲームより盤面のどこからでも自由に着手できる。ゲームも逆転がおきやすく非常にスリリングとなる。
【実施例】
【０００６】通常の囲碁ゲームで使う１９路盤にくわえて、９路盤、１１路盤、１３路盤、１５路盤、１７路盤、２１路盤、２３路盤をつかう。それぞれの囲碁盤には４か所に赤色の点が表示されている。４か所の赤色の点の内側の部分に着手する場合は、黒番（黒石を使う方）は黒色がかかった赤色の石をつかう。白番（白石を使う方）はピンク色の石をつかう。４か所の赤色の点の外の部分、隅や辺などに着手する場合は、従来の囲碁ゲームどおり、黒番は黒石、白番は白石をつかう。
９路盤、１１路盤、１３路盤では囲碁盤の中心点（天元）より四方にタテ３目×ヨコ３目の所に４か所に赤色の点がある。終局後の地の計算では通常の囲碁ゲームではタテ３目×ヨコ３目で９目計算だが、４か所の赤色の点の内の部分は倍の１８目計算とする。
１５路盤、１７路盤、１９路盤では囲碁盤の中心点（天元）より四方にタテ５目×ヨコ５目の所に４か所に赤色の点がある。終局後の地の計算では通常の囲碁ゲームではタテ５目×ヨコ５目で２５目計算だが、４か所の赤色の点の内の部分は、倍の５０目計算とする。
２１路盤、２３路盤では囲碁盤の中心点（天元）より四方にタテ７目×ヨコ７目の所に４か所に赤色の点がある。終局後の地の計算では通常の囲碁ゲームではタテ７目×ヨコ７目で４９目計算だが、４か所の赤色の点の内の部分は、倍の９８目計算とする。
【図面の簡単な説明】
【０００７】
【図１】本発明の９路盤の正面図である。
【図２】本発明の１１路盤の正面図である。
【図３】本発明の１３路盤の正面図である。
【図４】本発明の１５路盤の正面図である。
【図５】本発明の１７路盤の正面図である。
【図６】本発明の１９路盤の正面図である。
【図７】本発明の２１路盤の正面図である。
【図８】本発明の２３路盤の正面図である。
【図９】本発明の２種類の碁石である。
【符号の説明】
【０００８】１、赤色で表示された点
２、赤色で表示された点
３、赤色で表示された点
４、赤色で表示された点
５、黒色がかかった赤色の石
６、ピンク色の石
【図１】
2009125566.tif 000003
【図２】
2009125566.tif 000004
【図３】
2009125566.tif 000005
【図４】
2009125566.tif 000006
【図５】
2009125566.tif 000007
【図６】
2009125566.tif 000008
【図７】
2009125566.tif 000009
【図８】
2009125566.tif 000010
【図９】
2009125566.tif 000011
(57)【要約】【課題】  持ち運びが便利で、手軽に遊ぶための、遊戯用ベストを提供する。【解決手段】  ベストの前後の片面にダーツの的と、もう片面に玉入れ用のポケットを設けた事を特徴とする、遊戯用ベスト。【選択図】図１
2009125565.tif 000002
【特許請求の範囲】
【請求項１】
ベストの前後の片面にダーツの的と、もう片面に玉入れ用のポケットを設けた事を特徴とする、遊戯用ベスト。
【発明の詳細な説明】
【技術分類】
【０００１】  本発明は、持ち運びが簡単で親子で楽しく遊びながら数字を学ぶための、遊戯用ベストに関するものである。
【背景技術】
【０００２】  従来は、ダーツや玉入れの遊びを行う為には、器具を取り付けたり設置したりしなければならなかった。
【発明の開示】
【発明が解決しようとする課題】
【０００３】  そのために次のような問題点があった。
器具を手軽に持ち運んだり、取り付けたり、設置したりする事ができなかった。
本発明は、以上の問題点を解決するためになされたものである。
【課題を解決するための手段】
【０００４】  ベストの前後に面ファスナー式のダーツの的、玉入れ用のポケットを設け、ダーツの的に当てる玉と玉入れに入れて遊ぶ玉に、ダーツの的に固定される様に、面ファスナーを設けたことを特徴とする遊戯用ベストである。
【発明の効果】
【０００５】  ベストを装着する事で、どこででも場所を選ばずにダーツと玉入れの遊びが出来る。また、玉入れなどで入った玉の数を数えたり、ダーツに当たった数字の得点を、足し算を使って計算するなど、親子のコミニケーションを計りながら、遊びを通じて数字を学べるので、子供も楽しく数字に触れていける。
【発明を実施するための最良の形態】
【０００６】  以下、本発明の実施の形態について説明する。
（イ）ベスト（１）の横脇にヒモ（２）を設ける。
（ロ）ベスト（１）の表側に面ファスナー（３）素材のダーツの的（４）を設ける。
（ロ）ベスト（１）の裏側にポケット（５）を設け、ポケット（５）部分の両横部分に、      取っ手（６）を設ける。
（ハ）ダーツの的（４）に当てる為のボール（７）に面ファスナー（３）を設ける。
本発明は以上のような構造で、これを使用するときは、ベスト（１）を着用し、ベスト（１）の横脇に設けたヒモ（２）で体型に合わせて調節し、ベスト（１）を体に固定する。
ベスト（１）の表側に設けたダーツの的（４）にボール（７）を当てて遊んだり、又、ベスト（１）の裏側を前に着用し、ポケット（５）の両横部分に設けた取っ手（６）を持ち、ポケット（５）の口を広げ、ボール（７）をポケット（５）目掛けて入れ、玉入れなどをして遊ぶ。
【図面の簡単な説明】
【０００７】
【図１】本発明の表側の斜視図
【図２】本発明の裏側の斜視図
【図３】本発明の表側の使用状態を示す側面図
【図４】本発明の裏側の使用状態を示す側面図
【符号の説明】
【０００８】      １  ベスト
２  ヒモ
３  面ファスナー
４  ダーツの的
５  ポケット
６  取っ手
７  ボール
【図１】
2009125565.tif 000003
【図２】
2009125565.tif 000004
【図３】
2009125565.tif 000005
【図４】
2009125565.tif 000006
(57)【要約】【課題】    本発明は生ラーメンや袋ラーメン等を調理するときに使用するどんぶりである。通常は軽量カップ等でスープの素に注ぐ熱湯を量る必要があるが、目盛りをつけることにより、注ぐ熱湯の量を管理でき、かつ計量カップとしても使用できるどんぶりを提供する。【手段】  器となるどんぶりの内側に目盛り線を設ける【選択図】図１
2009125561.tif 000002
【特許請求の範囲】
【請求項１】
ラーメンやうどんの器で、内側に目盛り線をつけ、注ぐ熱湯の量をわかりやすくしたどんぶり。
【請求項２】
目盛りがついているので、計量カップとして代用できるどんぶり。
【発明の詳細な説明】
【技術分野】
【０００１】  本発明は生ラーメンや袋ラーメン等の調理時、濃縮スープや粉スープに注ぐ熱湯の量を調節できるどんぶりに関するものである。
【背景技術】
【０００２】  生ラーメンや袋ラーメンを調理する際に、麺をゆでるお湯とは別に、濃縮液体や粉のスープの素をどんぶりにいれ、熱湯を適量注ぎスープを作ることがなされている。
【発明の開示】
【発明が解決しようとする課題】
【０００３】  生ラーメンや袋ラーメン等の調理で、スープを作るためどんぶりに熱湯を注ぐ際、次のような問題点があった。
スープの素に注ぐ熱湯の量は、メーカーや商品により異なるため計量する必要がある。
はじめに水を量って火にかけた場合、火にかける時間の長短で蒸発により注ぐ際の熱湯の量が変わってしまう可能性がある。さらに一度に２杯以上まとめて調理すると、１杯分の熱湯の量がわかりにくくなってしまう
沸騰したお湯を軽量カップで量る場合、プラスチックの軽量カップでは、熱湯により変形の可能性がある。鉄製のカップの場合は持ち手が熱くなりやけどの可能性がある。
本発明は、以上の問題点を解決し、注ぐ熱湯の量を調整することができるようになされたものである。
【課題を解決するための手段】
【０００４】  ラーメンやうどんを入れる器であるどんぶりの内側に目盛り線をつけ、注ぐ熱湯の量をわかりやすくする。
本発明は、以上により注ぐ熱湯の量を調整できるどんぶりである。
【発明の効果】
【０００５】  本発明を利用することにより、熱湯を量るという危険な作業を省くことができ、なおかつ、正確な熱湯の量を注ぐことができるので、スープの濃度を適切に調節することができる。
その上、どんぶりを計量カップとして使用することもできる。
【発明を実施するための最良の形態】
【０００６】  以下、本発明の実施の形態を説明する。
ラーメンやうどんを入れる器であるどんぶり（１）の内側にラインを引き、目盛り（３）をつける。
本発明は以上の構成よりなる。
本発明を利用する場合は、どんぶりに熱湯を必要な量の目盛りの線まで注ぐ。この時、液体スープ等でスープの素の量がある程度ある場合でも、熱湯を注いでからスープの素を入れることにより、スープの濃度を適切に調節することができる。
【図面の簡単な説明】
【０００７】
【図１】  本発明を上から示した平面図である。
【図２】  本発明を横から示した断面図である。
【符号の説明】
【０００８】  （１）どんぶり、（２）ライン、（３）目盛り
【図１】
2009125561.tif 000003
【図２】
2009125561.tif 000004
(57)【要約】【課題】  フライパン等で食材を調理し、皿に移す前に食材を切る事が出来るギザギザ付フライ返しを提供する。【解決手段】  フライ返しの本体となる部分、先端にギザギザ部の切り込みを設けそのギザギザ部を利用して食材を切る事を特徴とするギザギザ付フライ返し器具である。【選択図】図１
2009125564.tif 000002
【特許請求の範囲】
【請求項１】
フライ返しの本体となる部分の先端に、食材を切るためのギザギザ部の切り込みを設け、そのギザギザ部を利用して食材を切ることを特徴とするギザギザ付フライ返し器具である。
【発明の詳細な説明】
【技術分野】
【０００１】  本発明は、フライパン等で食材を調理し、皿に移す前に食材を切る事が出来るように先端にギザギザ部を設けたギザギザ付フライ返しに関するものである。
【背景技術】
【０００２】  従来、フライ返しとは、調理した食材を裏返すという作業の時のみに利用されていたためギザギザなど付いておらず、ただの長方形の板にすぎない。
【発明の開示】
【発明が解決しようとする課題】
【０００３】    そのために、これまでのフライ返しには、次のような問題点があった。
（イ）調理した食材を、その場で手早く人数分に切り分けたい時など、従来のフライ返    しで切ろうとしてもうまく切ることが出来ない。
（ロ）出来た食材を一旦まな板等に移してから包丁などで切っていた為、洗い物が増え    、作業も二度手間であった。
本発明は以上の問題点を解決しようとするものである。
【課題を解決するための手段】
【０００４】  上記、問題点を解決するため本発明は、フライ返しの本体となる部分の先端に、食材を切るためのギザギザ部の切り込みを設け、そのギザギザ部を利用して食材を切ることを特徴とするギザギザ付フライ返し器具である。
【発明の効果】
【０００５】  本発明は、フライパン等で調理した食材を裏返すだけでなく、フライパンの中で切り分ける事ができる。
したがって、わざわざまな板などに移して切る必要が無くなり、それによって出る洗い物からも解消される。
【発明を実施するための最良の形態】
【０００６】  以下、本発明の実施の形態について説明する。
取っ手（１）の下部に板状の本体（２）を設け、本体（２）の先端にギザギザ部（３）の切れ込みを設ける。
本発明は以上のような構成で、これを使用する時は、取っ手（１）を握って、フライパン等で調理したお好み焼きをギザギザ部（３）で切り分け、その後、お好み焼きを本体（２）に乗せ、皿に移す。
本発明の実施の形態では、お好み焼きを例に説明したが、目玉焼き、卵焼き等、その他食材でも同様に使用できる。
【図面の簡単な説明】
【０００７】
【図１】  本発明の斜視図
【符号の説明】
【０００８】  １  取っ手
２  本体
３  ギザギザ部
【図１】
2009125564.tif 000003
(57)【要約】【課題】  長時間椅子に座っている人の運動不足と居眠り防止に役立つ椅子を提供する。【解決手段】  椅子の脚を１本にすることにより、椅子に座る人自身が自分のからだでバランスをとって座らなければならないようにした。これにより、自分の足・腹筋・背筋などを鍛えるこができる。又常に緊張を保たなければならないため居眠り防止に役立つ。【選択図】図１
2009125569.tif 000002
【特許請求の範囲】
【請求項１】
腰掛部下側に１本の主軸を備えた自立できない椅子。
【発明の詳細な説明】
【技術分野】
【０００１】  本発明は、事務用・学者用及び作業用の１本脚の椅子に関するものである。
【背景技術】
【０００２】  長時間椅子に座って仕事や学習をする者にとって歩いたり運動をしたりする時間は限られているためトレーニングやダイエットの為の運動が困難である。【０００３】  椅子に長時間座っていると、眠気を催す場合がある。
【発明の開示】
【発明が解決しようとする課題】
【０００４】  職場等に運動器具等を持ち込むことも仕事中に使用することも困難である。又普段座っている椅子を使って運動することも考えられるがそのためには仕事等を中断しなければならない。本発明は以上の問題を解決しようとするものである。
【課題を解決するための手段】
【０００５】  本発明は椅子を自立できないように１本脚にして不安定にすることにより、使用者が自分の足を使って座らなければならないようにした。
【発明の効果】
【０００６】  椅子の脚を１本にすることにより腰掛部に座っている使用者が常に自分のからだでバランスをとりながら座っていなければいけない為、自分の足や腹筋・背筋のトレーニングになりダイエット効果も期待できる。【０００７】  この椅子に座っている間は常に倒れないように緊張を維持しなければならないので居眠り防止にも役立つ。
【発明を実施するための最良の形態】
【０００８】  以下、本発明の実施の形態を説明する。
【実施形態１】
【０００９】  （イ）腰掛部１の下側中心に、取付け手段２を用いて脚３を取り付ける。取付け手段２は完全に固定するものと着脱可能なものいずれも使用できる。完全に固定するものは着脱式のものよりも強度に優れ安全性が高い。着脱可能なものは固定したものに比べ未使用時の保管や持ち運びに便利である。取付け手段２は、金具・ボルト・プレート・ほぞなど腰掛部１と脚３が接合できるものであれば様々な手段が可能である。
（ロ）脚３の先端には、滑り止め部材４を接着又ははめ込む。これは同時に脚３による床の損傷を防ぐものでもある。滑り止め部材４は、ゴム・ウレタン・樹脂など滑り止め効果のある材質を用いる。
【実施形態２】
【００１０】  （イ）〜（ロ）は実施形態１と同様に構成されており、更に
（ハ）腰掛部１の両端に手で握る為の穴５を設けることによって姿勢を正したり片足や両足を浮かせてバランスを取る運動を行うことができる。又、持ち運びにも便利である。
【実施形態３】
【００１１】  （イ）〜（ロ）は実施形態１と同様に構成されており、更に
（二）腰掛部１の裏側に手で握る為の握り部６を設けることによって姿勢を正したり片足や両足を浮かせてバランスを取る運動を行うことができる。又、持ち運びにも便利である。
【実施形態４】
【００１２】  腰掛部１から脚３までを取付け手段なく一体で形成することも可能である。
【００１３】  腰掛部１・脚３又は腰掛部１と脚３が一体で形成するものの材質は人間ひとり分の体重を支えられるものであればいかなる材料を用いても構わない。例えば、木材・金属・プラスチックなどがある。
【００１４】  腰掛部１の形・大きさ・厚さは、材質や使用者に合わせて様々である。脚３についても同様に様々な断面形状・太さ・長さで構成することが可能である。
【００１５】  本発明は以上の構成からなるので本発明を使用するときは両足や腰などに異常がない使用者が自分の両足でからだを支えバランスをとりながら仕事や学習を続けるための姿勢を維持しなければならない。
【図面の簡単な説明】
【００１６】
【図１】本発明の正面図
【図２】本発明の使用状態を示す斜視図
【図３】本発明の実施形態２の斜視図
【図４】本発明の実施形態３の斜視図
【符号の説明】
【００１７】  １  腰掛部
２  取付け手段
３  脚
４  滑り止め部材
５  握り穴
６  握り部
【図１】
2009125569.tif 000003
【図２】
2009125569.tif 000004
【図３】
2009125569.tif 000005
【図４】
2009125569.tif 000006
(57)【要約】【課題】二枚重ねの回転盤に転倒防止枠、滑り止めを取り付けてガラス瓶などの転倒落下による破損を防止する。【解決手段】ガラス瓶を図１の回転置台（２）にセット、その際、瓶のラベルを回転置台（４）に向けて置く。置き台は（５）の回転軸により（３）回転座と結合されている。瓶を回転置台と一緒に回すことにより、瓶が正面を向く（４）転倒防止枠に透明プラスティックフィルムを取り付けることにより、小型の瓶等を置くことができるが、透明プラスティックフィルムを取り付けず（４）が外側に倒れる構造としても利用でき、安価であり作業性も良い。図２の（３）回転座下部に滑り止め（７）を取り付けることにより、転倒防止の効果が向上する。図１の後ろに並べる瓶の底には滑り止め効果のある発砲スチロール等でキャップを被せることにより、倒壊防止器具の効果が向上する。【選択図】  図１
2009125115.tif 000002
【特許請求の範囲】
【請求項１】
本発明は、ガラス瓶または構造物の形や大小に係わりなく、地震等の衝撃を吸収、滑りを止めて倒壊を防止することを目的とし、構造物の美観や価値を保つ成形器具に関する。
【請求項２】
地震等により倒壊の恐れのある、形状の違う構造物でも、それぞれの形状に適合した設計、材料を用いて作成、安全と価値を守る成形品に関する。
【請求項３】
それぞれの形状に応じて、瓶又は構造物の底部の形状に合わせて発泡スチロール等の滑り止め効果のある材料を用いて、取り外しのできるキャップ形の成形品を作り、棚等に縦に並べるときは、図１の後ろからとする。図１、図２の（６）透明プラスティックを除き、（４）転倒防止用枠を単独で利用、これを外側に倒れる構造として作業性を高める。
【発明の詳細な説明】
【技術分野】
【０００１】
本発明は、瓶又は置物などが地震発生時、または通常安全保管用として用いる耐震用具類であり、倒壊等による損失を防止することに関する。
【背景技術】
【０００２】
従来、酒瓶、調味料瓶など多くの物がスーパーなどの販売店の棚に縦一列に並べられており、落下防止、商品のラベルが見えなくなるのを防ぎ、また商品の出し入れに支障がないようにとのことと思われますが、棚の周囲のみに、高さ二センチほどの防護用柵と思われているものが多く、地震発生の後、多くの販売店において商品の倒壊による損失がみられる。
【特許文献１】登録実用新案第３０２７７９０号
【発明の開示】
【発明が解決しようとする課題】
【０００３】
解決しようとする問題点は、地震などの強い揺れにより販売店の棚などからガラス瓶などが転倒、破損して中身と共に飛散するという危険防止と経済的損失を阻止する目的である。
【０００４】
一般家庭や商店、企業においても、安全性を求めていることであり、瓶や置物の形状に合う構造体として倒壊を防止する。
【課題を解決するための手段】
【０００５】
上述の目的を達成する本発明の倒壊防止器具は、例として、一升瓶であるならば、円盤上部を置き台、一回り大きな下部を回転座として中心に回転軸を設けて上部のみ回転するように組み立て、上部置き台の半径に  は円形に合った高さの転倒防止枠を設けます。この枠に透明プラスティックフィルム等取り付けることにより、商品のラベル等が透けて見えるようにします。又、回転座の底には発砲スチロールなど、その他の滑り止め効果のある資材を取り付けて滑り落下を防止します。瓶をセットする時は、瓶の正面を置き台の透明プラスティックに向け、反対方向よりセット、置き台を回転させて瓶のラベルが正面を向くようにします。取り出す時は左右どちらかに回転させて取り出します。縦に数本並べる時は瓶の底に滑り止め効果のある資材を用いて、取り外しのできるキャップを取り付けて、倒壊防止器具の負担を軽減する。枠はプラスティックフィルムを付けずに使用でき枠のみ前側に倒れる成形品もある。
【０００６】
瓶類以外の構造物においても、大小に係わらず、上述のいずれかを利用して形状の違いがあっても、同じ効果を期待できる。
【発明の効果】
【０００７】
以上、説明のように本発明によれば、回転置台に転倒防止用フィルム壁を設け、さらに底面に取り付ける滑り止め効果により、強い揺れなどが発生しても構造物の転倒防止等に有効である。置き台の回転により商品の出し入れがスムーズに行われる。又、置き台転倒防止用枠が前側に倒れることにより、なお一層商品の出し入れがスムーズになり、美観を損なわず安価で、転倒防止に極めて有効である。
【発明を実施するための最良の形態】
【０００８】
以下、本発明の実施の形態を図面に基づき、詳細に説明する。
【０００９】
図１、図３は本発明の実施の形態に係わり、図１はその外観斜視図。
図２は左側図である。
【００１０】
図１、図２に示すように、本倒壊防止器具は回転軸を有する。置き台、回転座の２枚を重ねた構造体であり、置き台には転倒防止用の枠を取り付けてある。
【００１１】
図３に示すように、図１、図２の底面には滑り止め資材を取り付けてあり、振動に対してクッションの役目をする。強い揺れに対しても滑りによる転倒落下を防止する効果がある。
【実施例】
【００１２】
図１の置き台のサイズを各構造物の底面に合う好適なサイズとして標準化する。このことにより、設計、製造が容易になる。又、単品に対しては、その都度設計して対応する。
【００１３】
以上、本発明の実施の形態、及び実施例を説明したが、本発明の範囲はこれに限定されるものではない。例えば、滑り止め資材を用いて各構造物のサイズに好適な取り外しのできるキャップを標準化する。又、置き台に取り付ける転倒防止枠を外側に倒れる構造とし、正面側だけでなく、反対側にも枠を取り付けて、同じく外側に倒れ単品の倒壊防止用具として、状況に応じて適宜選択されるものである。
【産業上の利用可能性】
【００１４】
発明は、近年特に強い地震があると予測されていても、お酒や調味料などのガラス瓶を多く取り扱う販売店において、地震などの強い揺れの後、瓶類の転倒落下により多大な損失を被っているので、何か良い方法が無いかと模索しているのが現状と思われる。又、一般家庭においても、他分野においても同様と思われるので、広く利用することができる。
【図面の簡単な説明】
【００１５】
【図１】本発明の第一の形態に係わる成型品の外観斜視図である。
【図２】図１の成型品の左側面図である。
【図３】図１の成形品回転座の底面図である。
【符号の説明】
【００１６】
１    本発明の実施に係わる倒壊防止器具
２    回転置台
３    回転座
４    転倒防止用枠
５    回転軸
６    透明プラスティック
７    滑り止め
【図１】
2009125115.tif 000003
【図２】
2009125115.tif 000004
【図３】
2009125115.tif 000005
(57)【要約】【課題】  熱間継目無鋼管の製造に使用されるプラグをマンドレルバーに固定した際の脱着を短時間、かつ容易に実施できる簡単な構造で、しかも作業労働負担を軽減することができる継目無鋼管製造用固定プラグを提供する。【解決手段】  ピアサー用固定プラグにおいて、プラグの内面円周上に溝部を設けると共に、マンドレルバーキャップの先端部にキーを設けることにより、プラグとマンドレルバーを一体に嵌合固定することを特徴とする継目無鋼管製造用固定プラグ。【選択図】    図３
2009125785.tif 000002
【特許請求の範囲】
【請求項１】
ピアサー用固定プラグにおいて、プラグの内面円周上に溝部を設けると共に、マンドレルバーキャップの先端部にキーを設けることにより、プラグとマンドレルバーを一体に嵌合固定することを特徴とする継目無鋼管製造用固定プラグ。
【請求項２】
請求項１に記載する、先端部にキーを設けたマンドレルバーキャップをプラグの内面円周上に設けた溝部に挿入した後、該マンドレルバーキャップを回転させてプラグとマンドレルバーを一体に嵌合固定することを特徴とする継目無鋼管製造用固定プラグ。
【発明の詳細な説明】
【技術分野】
【０００１】
本発明は、継目無鋼管製造用固定プラグに関し、特にピアサーの穿孔プラグの固定に関するものである。
【背景技術】
【０００２】
一般に熱間継目無鋼管を製造する方法としては、マンネスマン製管法が広く従来より実施されている。この方法においては、所定温度に加熱された丸棒鋼（以下、ビレットという）を、加熱炉に装入し、約１１００〜１３００℃で加熱し、穿孔用のプラグ穴を設けてから、穿孔圧延機（以下、ピアサーという）によって穿孔圧延し中空素管（以下、ホローシェルという）を製造し、このホローシェルをエロンゲータ等の延伸圧延機および磨管圧延機にて肉厚を減じ、さらに、再加熱後、絞り圧延機あるいは定型機によって主に外径を減じて所定の寸法の継目無鋼管を得る。
【０００３】
一方、ピアサーによる穿孔の際、プラグはビレットから受ける熱とピアサーによる穿孔時に受ける加工発熱および摩擦発熱によって高温になり、特に先端部の溶損の障害が発生する。そこで、プラグは先端部が溶損するのを防ぐために圧延後毎に冷却させ溶損等による劣化した時は取替えが行われているのが実状である。この取替方法に際しては、作業負担軽減や取替作業の自動化に伴いプラグとマンドレルバーとの固定式が採用され、従来より種々の固定方式が取られている。
【０００４】
例えば、プラグとバーキャップをネジにより固定する方法やバーキャップにバネの応力や油圧により可動する爪を付けることで固定する方法などがある。しかし、ネジ式による固定方法ではプラグにネジ加工をする必要があり、コスト高になる欠点があり、後者についてもコスト面、メンテナンス面での欠点があった。例えば、特開２００３−３９１０５号公報（特許文献１）においては、プラグの交換を容易に、かつ短時間で実施できる構造にしたプラグバーにおいて、プラグ内部にネジ加工を施し、プラグとプラグバーを固定している。
【特許文献１】特開２００３−３９１０５号公報
【発明の開示】
【発明が解決しようとする課題】
【０００５】
しかしながら、上記に代表されるようなプラグ固定方法では、コスト高の要因となる他、穿孔時にプラグが受ける外力により脱着が困難になり、また、プラグ内部のネジ山を破損しプラグの脱落等の問題がある。
【課題を解決するための手段】
【０００６】
本発明は、上述のような問題を解決し、熱間継目無鋼管の製造に使用されるプラグをマンドレルバーに固定した際の脱着を、もっと短時間に脱着が容易に実施できる簡単な構造にして、作業労働負担を軽減することができる継目無鋼管製造用固定プラグを提供する。      
【０００７】
その発明の要旨とするところは、
（１）ピアサー用固定プラグにおいて、プラグの内面円周上に溝部を設けると共に、マンドレルバーキャップの先端部にキーを設けることにより、プラグとマンドレルバーを一体に嵌合固定することを特徴とする継目無鋼管製造用固定プラグ。
（２）前記（１）に記載する、先端部にキーを設けたマンドレルバーキャップをプラグの内面円周上に設けた溝部に挿入した後、該マンドレルバーキャップを回転させてプラグとマンドレルバーを一体に嵌合固定することを特徴とする継目無鋼管製造用固定プラグにある。
【発明の効果】
【０００８】
以上述べたように、本発明による固定プラグを実施することにより、作業労働負担を軽減でき、プラグ脱着を短時間で容易にすることが可能となり工業的、安全上において極めて優れた効果を奏するものである。
【発明を実施するための最良の形態】
【０００９】
以下、本発明について図面に従って詳細に説明する。
図１は、本発明に係るプラグの概略図である。図１（ａ）はプラグの縦断面図であり、図１（ｂ）はプラグ底面を示す図であり、また、図１（ｃ）はプラグの斜視図である。この図１に示すように、プラグ１内面円周上に溝部２を設け、マンドレルバー先端部のバーキャップに取り付けたキーをプラグ１の内面上の溝部２に沿って一体に嵌合固定するように構成する。
【００１０】
図２は、本発明に係るマンドレルバーを示す概略図である。この図に示すように、マンドレルバー３の先端に付いているのがバーキャップ４であり、そこにキー５を取り付けている。図３は、プラグとマンドレルバーを一体に嵌合固定した状態を示す図である。この図に示すように、プラグ１の内面円周上の溝部２の位置については、プラグ１とバーキャップ４が嵌まり込んだ際に隙間ができない位置とし、プラグ１の内面円周上の溝部２とキー５においても嵌まり込んだ際のプラグ１の前後にガタ付きがないように構成する。
【実施例】
【００１１】
以下、本発明について実施例によって具体的に説明する。
図３に示すような固定プラグを用いることで、圧延中のプラグの脱落およびマンドレルバー後退時のプラグ脱落などのトラブルが減少した。また、専用プラグ取替工具を用いることで取替作業においても短縮化を図ることができ、作業労働負担も低減することが出来た。
【００１２】
上述したような固定プラグを用いることで、作業労働負担も低減でき、プラグ脱落を短時間で容易にすることが可能となり、工業的で、かつ安全上極めて優れた効果を奏するものである。
【図面の簡単な説明】
【００１３】
【図１】本発明に係るプラグの概略図である。
【図２】本発明に係るマンドレルバーを示す概略図である。
【図３】プラグとマンドレルバーを一体に嵌合固定した状態を示す図である。
【符号の説明】
【００１４】
１  プラグ
２  溝部
３  マドレルバー
４  バーキャップ
５  キー
特許出願人  山陽特殊製鋼株式会社
代理人  弁理士    椎  名    彊
【図１】
2009125785.tif 000003
【図２】
2009125785.tif 000004
【図３】
2009125785.tif 000005